(57)【特許請求の範囲】
【請求項１】
ネットワークを介して接続された複数の情報処理装置が通信するシステムであって、
情報処理装置は、他の情報処理装置が操作を受け付けることを制限する操作制限の設定を受け付ける制限受け付け手段と、
前記他の情報処理装置に前記操作制限の設定に基づく情報を送信する送信手段と、を有し、
前記制限受け付け手段は、前記他の情報処理装置に接続された表示手段に表示された画像を保存する保存操作、前記表示手段に表示された画像を編集する編集操作、又は、前記他の情報処理装置に画像を表示する表示操作、の制限を受け付けることで、
前記保存操作に分類される複数の操作、前記編集操作に分類される複数の操作、又は、前記表示操作に分類される複数の操作、の制限をまとめて受け付けるものであり、
前記他の情報処理装置は、
前記操作制限の設定に基づく情報によって、前記他の情報処理装置の操作受け付け手段による操作の受け付けを制限させる、ことを特徴とするシステム。
【請求項２】
前記制限受け付け手段は、前記保存操作に分類される複数の操作の１つ以上、前記編集操作に分類される複数の操作の１つ以上、及び、前記表示操作に分類される複数の操作の１つ以上、の制限を個別に受け付ける、
ことを特徴とする請求項１に記載のシステム。
【請求項３】
前記操作受け付け手段は、前記表示手段に表示された表示部品がポインティングデバイスにより選択された場合に前記表示部品に対応する操作を受け付け、
前記他の情報処理装置は、前記操作制限に基づく情報により制限された操作に対応する前記表示部品をポインティングデバイスにより選択不能に表示するか又は表示しない、
ことを特徴とする請求項１又は２に記載のシステム。
【請求項４】
前記制限受け付け手段は、他の情報処理装置の指定と共に、操作制限の設定を受け付け、
前記送信手段は、指定された前記他の情報処理装置ごとに前記操作制限に基づく情報を送信する、ことを特徴とする請求項１〜３のいずれか１項に記載のシステム。
【請求項５】
前記制限受け付け手段は、時間の指定を受け付け、前記時間に限り前記操作制限に基づく情報で制限されている操作の制限を許可する、
ことを特徴とする請求項１〜４のいずれか１項に記載のシステム。
【請求項６】
ネットワークを介して接続された他の情報処理装置と通信する情報処理装置であって、
少なくとも他の情報処理装置が操作を受け付けることを制限する操作制限の設定を受け付ける制限受け付け手段と、
前記操作制限に基づく情報を前記他の情報処理装置に送信し、前記他の情報処理装置の操作受け付け手段による操作の受け付けを制限させる制限手段と、を有し、
前記制限受け付け手段は、前記他の情報処理装置に接続された表示手段に表示された画像を保存する保存操作、前記表示手段に表示された画像を編集する編集操作、又は、前記他の情報処理装置に画像を表示する表示操作、の制限を受け付けることで、
前記保存操作に分類される複数の操作、前記編集操作に分類される複数の操作、又は、前記表示操作に分類される複数の操作、の制限をまとめて受け付ける情報処理装置。
【発明の詳細な説明】
【技術分野】
【０００１】
本発明は、表示手段に表示された画像を共有する複数の情報処理装置がネットワークを介して接続されたシステム等に関する。
【背景技術】
【０００２】
企業や教育機関、行政機関等における会議等において、大型ディスプレイに背景画像を表示させ、この背景画像の上にユーザが文字や数字、図形等のストローク画像を描画可能な電子黒板が利用されている。このような電子黒板では、大型ディスプレイなどに対しユーザによって生成されたストローク画像を表示することができる。また、ユーザはストローク画像を表示できるだけでなく、表示している画像を編集したり、画像を保存することができる。
【０００３】
また、ネットワークの普及に伴い各拠点の電子黒板をネットワークで接続して、ストローク画像などを各電子黒板が共有する技術も知られるようになった（例えば、特許文献１参照。）。特許文献１には、拠点識別情報を入力されたデータと共に送信し、操作者などの拠点情報を添付してデータを表示する相互情報共有システムが開示されている。
【発明の概要】
【発明が解決しようとする課題】
【０００４】
しかしながら、このような電子黒板を用いたシステムでは、セキュリティ上の不都合が発生するおそれがあるという問題があった。すなわち、他の拠点の電子黒板と共有されたストローク画像が仮に機密情報を含んでいても、会議のすべての参加者が自由にストローク画像を編集したり保存することが可能になっている。このため、ストローク画像のオーナーが関知していない状態で、参加者がストローク画像を外部に送信したり、メモリーカードに記録して持ち出すことが可能となっていた。
【０００５】
本発明は、上記課題に鑑み、各拠点が共有する画像に対する操作を制限できるシステム等を提供することを目的とする。
【課題を解決するための手段】
【０００６】
上記課題を解決するため、本発明は、ネットワークを介して接続された複数の情報処理装置が通信するシステムであって、情報処理装置は、他の情報処理装置が操作を受け付けることを制限する操作制限の設定を受け付ける制限受け付け手段と、前記他の情報処理装置に前記操作制限の設定に基づく情報を送信する送信手段と、を有し、前記制限受け付け手段は、前記他の情報処理装置に接続された表示手段に表示された画像を保存する保存操作、前記表示手段に表示された画像を編集する編集操作、又は、前記他の情報処理装置に画像を表示する表示操作、の制限を受け付けることで、前記保存操作に分類される複数の操作、前記編集操作に分類される複数の操作、又は、前記表示操作に分類される複数の操作、の制限をまとめて受け付けるものであり、
前記他の情報処理装置は、前記操作制限の設定に基づく情報によって、前記他の情報処理装置の操作受け付け手段による操作の受け付けを制限させる、ことを特徴とする。
【発明の効果】
【０００７】
各拠点が共有する画像に対する操作を制限できるシステム等を提供することができる。
【図面の簡単な説明】
【０００８】
【図１】画像処理システムの全体構成図の一例である。
【図２】電子黒板のハードウェア構成図の一例である。
【図３】電子黒板の機能ブロック図の一例である。
【図４】ファイル処理部の機能ブロック図の一例である。
【図５】通信制御部の機能ブロック図の一例である。
【図６】ページデータを模式的に説明する図の一例である。
【図７】ストローク配列データを模式的に説明する図の一例である。
【図８】座標配列データを模式的に説明する図の一例である。
【図９】メディアデータを模式的に説明する図の一例である。
【図１０】遠隔ライセンス管理テーブルを模式的に説明する図の一例である。
【図１１】アドレス帳管理テーブルを模式的に説明する図の一例である。
【図１２】バックアップデータを模式的に説明する図の一例である。
【図１３】接続先管理テーブルを模式的に説明する図の一例である。
【図１４】参加拠点管理テーブルを模式的に説明する図の一例である。
【図１５】操作データを模式的に説明する図の一例である。
【図１６】機能制限管理部に記憶されている機能制限リストを模式的に説明する図の一例である。
【図１７】機能制限リストの作成画面の一例を示す図である。
【図１８】機能制限リストの作成画面の一例を示す図である。
【図１９】機能制限リストの作成画面の一例を示す図である。
【図２０】各画像レイヤの重畳処理について説明する図の一例である。
【図２１】電子黒板が機能制限付きで遠隔会議を開催するシーケンス図の一例を示す。
【図２２】電子黒板が遠隔共有処理に参加するための処理について説明する。
【図２３】遠隔共有処理における操作データの処理について説明する図の一例である。
【図２４】ディスプレイに表示されるＵＩ画像の一例を示す図である。
【図２５】各アイコンをユーザが選択した場合の機能と、機能制限の対応について説明する図の一例である。
【図２６】各アイコンをユーザが選択した場合の機能と、機能制限の対応について説明する図の一例である。
【図２７】機能制限リストの作成画面の一例を示す図である（実施例２）。
【図２８】機能制限管理部の機能制限リストを模式的に説明する図の一例である（実施例２）。
【図２９】機能制限リストの作成画面の一例を示す図である（実施例３）。
【図３０】機能制限管理部の機能制限リストを模式的に説明する図の一例である（実施例３）。
【発明を実施するための形態】
【０００９】
以下、図面を用いて、本発明の一実施形態を説明する。
【実施例１】
【００１０】
＜システムの概要＞
図１は、本実施形態の画像処理システムの全体構成図である。なお、図１では、説明を簡略化するために、２台の電子黒板２ａ，２ｂ及びこれに付随する電子ペン４ａ，４ｂ等を示しているだけであって、３台以上の電子黒板や電子ペン等を利用してもよい。電子黒板２ａ，２ｂは特許請求の範囲の情報処理装置の一例である。
【００１１】
図１に示されているように、画像処理システム１は、複数の電子黒板２ａ，２ｂ、複数の電子ペン４ａ，４ｂ、ＵＳＢメモリ５ａ，５ｂ、ノートＰＣ(Personal Computer)６ａ，６ｂ、テレビ（ビデオ）会議端末７ａ，７ｂ、及びＰＣ８を有する。また、電子黒板２ａ，２ｂ、及びＰＣ８は、通信ネットワーク９を介して通信可能に接続されている。更に、複数の電子黒板２ａ，２ｂには、それぞれディスプレイ３ａ，３ｂが設けられている
また、電子黒板２ａには、電子ペン４ａによって生じたイベント（ディスプレイ３ａに電子ペン４ａのペン先、又は、電子ペン４ａのペン尻のタッチ）による描画された画像を、ディスプレイ３ａに表示させることができる。なお、電子ペン４ａだけでなく、ユーザの手Ｈａ等によって生じたイベント（拡大、縮小、ページめくり等のジェスチャ）に基づいて、ディスプレイ３ａ上に表示されている画像を変更させることもできる。電子ペン４、手Ｈは特許請求の範囲のポインティングデバイスの一例である。
【００１２】
また、電子黒板２ａには、ＵＳＢメモリ５ａが接続可能であり、電子黒板２ａはＵＳＢメモリ５ａからＰＤＦ等の電子ファイルを読み出したり、電子黒板２ａはＵＳＢメモリ５ａに電子ファイルを記録することができる。また、電子黒板２ａには、DisplayPort、DVI(Digital Visual Interface)、HDMI（登録商標）(High-Definition Multimedia Interface)及びVGA(Video Graphics Array)等の規格による通信が可能なケーブル１０ａ１を介して、ノートＰＣ６ａが接続されている。そして、電子黒板２ａでは、ディスプレイ３ａに対する接触によってイベントを発生させ、このイベントを示すイベント情報を、マウスやキーボード等の入力装置からのイベントと同様に、ノートＰＣ６ａに送信する。同じく、電子黒板２ａには、上記規格による通信が可能なケーブル１０ａ２を介して、テレビ（ビデオ）会議端末７ａが接続されている。なお、ノートＰＣ６ａ、及びテレビ会議端末７ａは、Bluetooth（登録商標）等の各種無線通信プロトコルに準拠した無線通信により、電子黒板２ａと通信してもよい。
【００１３】
一方、電子黒板２ｂが設置されている他の拠点では、上記と同様に、ディスプレイ３ｂを備えた電子黒板２ｂ、電子ペン４ｂ、ＵＳＢメモリ５ｂ、ノートＰＣ６ｂ、テレビ会議端末７ｂ、ケーブル１０ｂ１、ケーブル１０ｂ２が利用される。更に、ユーザの手Ｈｂ等によって生じたイベントに基づいて、ディスプレイ３ｂ上に表示されている画像を変更させることもできる。
【００１４】
これにより、一の拠点で電子黒板２ａのディスプレイ３ａ上に描画された画像は、他の拠点で電子黒板２ｂのディスプレイ３ｂ上にも表示され、逆に他の拠点で電子黒板２ｂのディスプレイ３ｂ上に描画された画像は、一の拠点で電子黒板２ａのディスプレイ３ａ上に表示される。このように、画像処理システム１では、遠隔地において同じ画像を共有する遠隔共有処理を行うことができるため、遠隔地での会議等に用いると、非常に便利である。
【００１５】
なお、以下では、複数の電子黒板のうち任意の電子黒板を示す場合には「電子黒板２」と示す。複数のディスプレイのうち任意のディスプレイを示す場合には「ディスプレイ３」と示す。複数の電子ペンのうち任意の電子ペンを示す場合には「電子ペン４」と示す。複数のＵＳＢメモリのうち任意のＵＳＢメモリを示す場合には「ＵＳＢメモリ５」と示す。複数のノートＰＣのうち任意のノートＰＣを示す場合には「ノードＰＣ６」と示す。複数のテレビ会議端末のうち任意のテレビ会議端末を示す場合には「テレビ会議端末７」と示す。また、複数のユーザの手のうち任意の手を示す場合には「手Ｈ」と示す。複数のケーブルのうち任意のケーブルを示す場合には「ケーブル１０」と示す。
【００１６】
また、本実施形態では、画像処理装置の一例として、電子黒板を説明するが、これに限るものではなく、画像処理装置の他の例として、電子看板（デジタルサイネージ）、スポーツや天気予報等で利用されるテレストレータ、又は、遠隔画像（映像）診断装置等であってもよい。また、情報処理端末の一例として、ノートＰＣ６を説明するが、これに限るものではなく、情報処理端末の他の例として、デスクトップ型ＰＣやタブレット型ＰＣ、スマートフォン、ＰＤＡ、デジタルビデオカメラ、デジタルカメラ、ゲーム機等の画像フレームを供給可能な端末であってもよい。更に、通信ネットワークには、インターネット、ＬＡＮ(Local Area Network)、携帯電話通信網等が含まれる。また、本実施形態では、記録媒体の一例として、ＵＳＢメモリを説明するが、これに限るものではなく、記録媒体の他の例として、ＳＤカード等の各種記録メディアであってもよい。
【００１７】
＜電子黒板のハードウェア構成＞
続いて、図２を用いて、本実施形態の電子黒板のハードウェア構成を説明する。なお、図２は、電子黒板のハードウェア構成図である。
【００１８】
図２に示されているように、電子黒板２は、電子黒板２全体の動作を制御するＣＰＵ１０１、ＩＰＬ等のＣＰＵ１０１の駆動に用いられるプログラムを記憶したＲＯＭ１０２、ＣＰＵ１０１のワークエリアとして使用されるＲＡＭ１０３、電子黒板２用のプログラム等の各種データを記憶するＳＳＤ２０４、通信ネットワーク９との通信を制御するネットワークコントローラ１０５、及び、ＵＳＢメモリ５との通信を制御する外部記憶コントローラ１０６を備えている。
【００１９】
また、電子黒板２は、ノートＰＣ６がディスプレイに表示している静止画または動画を取り込むキャプチャデバイス１１１、グラフィクスを専門に扱うＧＰＵ(Graphics Processing Unit)１１２、及び、ＧＰＵからの出力画像をディスプレイ３やテレビ会議端末７へ出力するために画面表示の制御及び管理を行うディスプレイコントローラ１１３を備えている。
【００２０】
更に、電子黒板２は、接触センサ１１５の処理を制御するセンサコントローラ１１４、ディスプレイ３上に電子ペン４やユーザの手Ｈ等が接触したことを検知する接触センサ１１５を備えている。この接触センサ１１５は、赤外線遮断方式による座標の入力及び座標の検出を行う。この座標の入力及び座標の検出する方法は、ディスプレイ３の上側両端部に設置された２つ受発光装置（不図示）が、ディスプレイ３に平行して複数の赤外線を放射し、ディスプレイ３の周囲に設けられた反射部材によって反射されて、受光素子が放射した光の光路と同一の光路上を戻って来る光を受光する方法である。接触センサ１１５は、物体によって遮断された２つの受発光装置が放射した赤外線のＩＤ(Identification)をセンサコントローラ１１４に出力し、センサコントローラ１１４が、物体の接触位置である座標位置を特定する。なお、以下に示す全てのＩＤは、識別情報の一例である。
【００２１】
また、接触センサ１１５としては、赤外線遮断方式に限らず、静電容量の変化を検知することにより接触位置を特定する静電容量方式のタッチパネル、対向する２つの抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。
【００２２】
また、電子黒板２は、電子ペンコントローラ１１６を備えている。この電子ペンコントローラ１１６は、電子ペン４と通信することで、ディスプレイ３へのペン先のタッチやペン尻のタッチの有無を判断する。なお、電子ペンコントローラ１１６が、電子ペン４のペン先及びペン尻だけでなく、電子ペン４のユーザが握る部分や、その他の電子ペンの部分のタッチの有無を判断するようにしてもよい。
【００２３】
更に、電子黒板２は、ＣＰＵ１０１、ＲＯＭ１０２、ＲＡＭ１０３、ＳＳＤ１０４、ネットワークコントローラ１０５、外部記憶コントローラ１０６、キャプチャデバイス１１１、ＧＰＵ１１２、センサコントローラ１１４、及び電子ペンコントローラ１１６を図２に示されているように電気的に接続するためのアドレスバスやデータバス等のバスライン１２０を備えている。
【００２４】
なお、電子黒板２用のプログラムは、ＣＤ−ＲＯＭ等のコンピュータで読み取り可能な記録媒体に記録して流通させるようにしてもよい。
【００２５】
＜電子黒板の機能構成＞
続いて、図３乃至図２０を用いて、電子黒板の機能構成について説明する。なお、先ずは、図３を用いて、電子黒板２の全体的な機能構成について説明する。図３は、電子黒板の機能ブロック図である。
【００２６】
電子黒板２は、図２に示されているハードウェア構成及びプログラムによって、図３にされている各機能構成を有する。電子黒板２は、最初に遠隔共有処理を開始する「主催装置」となり得ると共に、既に開始されている遠隔共有処理に後から参加する「参加装置」にもなり得る。また、電子黒板２は、主要な機能として、クライアント機２０及びサーバ機９０を有している。即ち、電子黒板２の１台の筐体内に、クライアント機２０及びサーバ機９０が含まれている。クライアント部２０及びサーバ部９０は、電子黒板２の１台の筐体内で実現される機能である。そして、電子黒板２が主催装置となる場合には、この電子黒板２では、クライアント部２０とサーバ部９０が実現される。また、電子黒板２が参加装置となる場合には、この電子黒板２では、クライアント部２０は実現されるが、サーバ部９０は実現されない。即ち、図１において、電子黒板２ａが主催装置で、電子黒板２ｂが参加装置となる場合、電子黒板２ａのクライアント部２０は、同じ電子黒板２ａ内に実現されたサーバ部９０を介して、他の電子黒板２ｂのクライアント部２０と通信を行う。一方、電子黒板２ｂのクライアント部２０は、他の電子黒板２ａ内に実現されたサーバ部９０を介して、他の電子黒板２ａのクライアント部と通信を行う。
【００２７】
〔クライアント機２０の機能構成〕
続いて、主に図３乃至図５を用いて、クライアント機２０の機能構成について説明する。クライアント機２０は、映像取得部２１、座標検知部２２、自動調整部２３、接触検知部２４、イベント振分部２５、操作処理部２６、ジェスチャ処理部２７、映像重畳部２８、画像処理部３０、及び通信制御部６０を有する。
【００２８】
このうち、映像取得部２１は、ケーブル１０に接続されたノートＰＣ６等の映像出力機器の出力映像を取得する。映像取得部２１は、映像出力機器（ノートＰＣ６等）から画像信号を受信すると、この画像信号を解析して、この画像信号によって形成される映像出力機器の表示画像である画像フレームの解像度や、この画像フレームの更新頻度などの画像情報を導出し、画像取得部３１に出力する。
【００２９】
座標検知部２２は、ディスプレイ３上でユーザによって生じたイベント（ディスプレイ３上にユーザの手Ｈがタッチされた動作等）の座標位置を検出する。また、座標検知部２２は、タッチされた面積も検出する。
【００３０】
自動調整部２３は、電子黒板２の起動時に起動され、接触センサ１１５が座標検知部２２に適切な値を出力できるように、接触センサ１１５の光センサ方式におけるセンサーカメラの画像処理のパラメータを調整する。
【００３１】
接触検知部２４は、ユーザによって生じたイベント（ディスプレイ３上に電子ペン４のペン先又は電子ペン３のペン尻が押下（タッチ）された動作等）を検出する。
【００３２】
イベント振分部２５は、座標検知部２２によって検知されたイベントの座標位置と接触検知部２４によって検出された検出結果を、ストローク描画、ＵＩ操作、及びジェスチャ操作の各イベントに振り分ける。
【００３３】
ここで、「ストローク描画」は、ディスプレイ３上に図２０に示されている後述のストローク画像（Ｂ）が表示されている場合に、ユーザがディスプレイ３上で電子ペン４を押下し、この押下した状態で電子ペン４を移動させ、最終的にディスプレイ３上から電子ペン４を離すまでのイベントである。このストローク描画により、例えば、アルファベット「Ｓ」や「Ｔ」等がディスプレイ３上に描画される。なお、この「ストローク描画」には、画像を描画するだけでなく、既に描画された画像を削除したり、描画された画像を編集するイベントも含まれる。
【００３４】
「ＵＩ操作」は、ディスプレイ３上に図２０に示されている後述のＵＩ画像（Ａ）が表示されている場合に、ユーザが電子ペン４又は手Ｈによって所定の位置を押下したイベントである。このＵＩ操作により、例えば、電子ペン４により描画される線の色や幅等が設定される。
【００３５】
「ジェスチャ操作」は、ディスプレイ３上に図２０に示されている後述のストローク画像（Ｂ）が表示されている場合に、ユーザが手Ｈでディスプレイ３上をタッチしたり移動させるイベントである。このジェスチャ操作により、例えば、ユーザがディスプレイ３に手Ｈをタッチさせた状態で手Ｈを移動させることで、画像の拡大（若しくは縮小）、表示領域の変更、又は、ページ切り換え等を行うことができる。
【００３６】
操作処理部２６は、イベント振分部２５によってＵＩ操作と判断されたものから、イベントが発生されたＵＩの要素に従って、各種操作を実行する。このＵＩの要素としては、例えば、ボタン、リスト、チェックボックス、テキストボックスが挙げられる。ジェスチャ処理部２７は、イベント振分部２５によってジェスチャ操作と判断されたものに対応した操作を実行する。
【００３７】
操作処理部２６が有する制限受付部２６１は、例えば図１７の機能制限リストの作成画面に対するユーザの操作を受け付け、機能制限リストを作成する。機能制限リストの作成画面は例えばＵＩ画像生成部３３が表示する。
【００３８】
映像重畳部２８は、後述の表示重畳部３６で重畳された画像を映像として映像出力器器（ディスプレイ３等）に対して表示する。また、映像重畳部２８は、映像出力機器（ノートＰＣ６等）からの映像に対して、他の映像出力機器（テレビ会議端末７等）から送られて来た映像をピクチャ・イン・ピクチャする。更に、映像重畳部２８は、ピクチャ・イン・ピクチャされてディスプレイ３の一部に表示された映像を、ディスプレイ３の全体に表示させるための切り替えを行う。
【００３９】
画像処理部３０は、各画像レイヤの重畳処理等を行う。詳細は図２０にて説明する。画像処理部３０は、画像取得部３１、ストローク処理部３２、ＵＩ画像生成部３３、背景生成部３４、レイアウト管理部３５、表示重畳部３６、ページ処理部３７、ファイル処理部４０、ページデータ記憶部３００、及び遠隔ライセンス管理テーブル３１０を有している。
【００４０】
このうち、画像取得部３１は、映像取得部２１で取得された映像から、各フレームを画像として取得する。この画像は、図２０に示されている映像出力機器（ノートＰＣ６等）からの出力画像（Ｃ）に相当する。
【００４１】
ストローク処理部３２は、イベント振分部２５によって割り振られたストローク描画に係るイベントに基づいて、画像を描画したり、描画された画像を削除したり、描画された画像を編集する。このストローク描画による画像は、図２０に示されているストローク画像（Ｂ）に相当する。また、このストローク等に基づいた画像の描画、削除、編集の各結果は、後述の操作データとして、操作データ記憶部８４０に記憶される。
【００４２】
ＵＩ画像生成部３３は、電子黒板２に予め設定されているＵＩ（ユーザインターフェース）画像を生成する。このＵＩ画像は、図２０に示されているＵＩ画像（Ａ）に相当する。
【００４３】
ＵＩ画像生成部３３が有する操作制限部３３１は、操作制限リストに応じて操作が制限されたＵＩ画像を作成する。操作が制限されるとは、制限された操作に対応するアイコンが表示されないこと又は表示されても選択できないことなどをいう。
【００４４】
背景生成部３４は、ページ処理部３７がページデータ記憶部３００から読み出したページデータのうちのメディアデータを、ページ処理部３７から受信する。背景生成部３４は、この受信したメディアデータを表示重畳部３６に出力する。また、このメディアデータによる画像は、図２０に示されている背景画像（Ｄ）に相当する。背景画像（Ｄ）のパターンは、無地、グリッド表示等である。
【００４５】
レイアウト管理部３５は、表示重畳部３６に対して、画像取得部３１、ストローク処理部３２、及びＵＩ画像生成部３３（又は背景生成部３４）から出力された各画像のレイアウトを示すレイアウト情報を管理している。これにより、レイアウト管理部３５は、表示重畳部３６に対して、出力画像（Ｃ）及びストローク画像（Ｂ）を、ＵＩ画像（Ａ）及び背景画像（Ｄ）中のどの位置に表示させるか又は非表示にさせるかを指示することができる。
【００４６】
表示重畳部３６は、レイアウト管理部３５から出力されたレイアウト情報に基づき、画像取得部３１、ストローク処理部３２、ＵＩ画像生成部３３、及び背景生成部３４から出力された各画像のレイアウトを行う。
【００４７】
ページ処理部３７は、ストローク画像（Ｂ）のデータと出力画像（Ｃ）のデータを、１つのページデータにまとめてページデータ記憶部３００に記憶する。ストローク画像（Ｂ）のデータは、図６に示されているストローク配列データＩＤで示されるストローク配列データ（各ストロークデータ）として、ページデータの一部を成す。出力画像（Ｃ）のデータは、図６に示されているメディアデータＩＤで示されているメディアデータとして、ページデータの一部を成す。そして、このメディアデータは、ページデータ記憶部３００から読み出されると、背景画像（Ｄ）のデータとして取り扱われる。
また、ページ処理部３７は、一旦記憶されたページデータのうちのメディアデータを、背景生成部３４を介して表示重畳部３６に送信することで、映像重畳部２８が背景画像（Ｄ）をディスプレイ３に再表示させることができる。また、ページ処理部３７は、ページデータのうちのストローク配列データ（各ストロークデータ）を、ストローク処理部３２に戻すことで、ストロークの再編集ができる状態にすることができる。更に、ページ処理部３７は、ページデータを削除したり複製することもできる。
即ち、ページ処理部３７がページデータ記憶部３００にページデータを記憶する時点でディスプレイ３上に表示されている出力画像（Ｃ）のデータは、一旦、ページデータ記憶部３００に記憶され、その後にページデータ記憶部３００から読み出される際には、背景画像（Ｄ）を示すメディアデータとして読みされる。そして、ページ処理部３７は、ページデータ記憶部３００から読み出したページデータのうち、ストローク画像（Ｂ）を示すストローク配列データを、ストローク処理部３２に出力する。また、ページ処理部３７は、ページデータ記憶部３００から読み出したページデータのうち、背景画像（Ｄ）を示すメディアデータを、背景生成部３４に出力する。
【００４８】
表示重畳部３６は、画像取得部３１からの出力画像（Ｃ）、ストローク処理部３２からのストローク画像（Ｂ）、ＵＩ画像生成部３３からのＵＩ画像（Ａ）、及び、背景生成部３４からの背景画像（Ｄ）を、レイアウト管理部３５によって指定されたレイアウトに従って重畳する。これにより、図２０に示されているように、各画像が重なってもユーザが見える順に、ＵＩ画像（Ａ）、ストローク画像（Ｂ）、出力画像（Ｃ）、及び背景画像（Ｄ）の各レイアの構成となっている。
【００４９】
また、表示重畳部３６は、図２０に示されている画像（Ｃ）と画像（Ｄ）を切り替えて画像（Ａ）及び画像（Ｂ）に対して排他的に重畳することも可能である。例えば、当初、画像（Ａ）、画像（Ｂ）及び画像（Ｃ）が表示されている状態で、電子黒板２と映像出力機器（ノートＰＣ６等）との間のケーブル１０が抜かれた場合には、レイアウト管理部３５の指定によって、描画（Ｃ）を重畳対象から外すことができる。また、表示重畳部３６は、表示の拡大、表示の縮小、表示領域の移動処理も行う。
【００５０】
ページデータ記憶部３００は、図６に示されているようなページデータを記憶する。図６は、ページデータを示す概念図である。ページデータは、ディスプレイ３に表示される１ページ分のデータ（ストロークデータ及び画像データ）である。なお、ページデータに含まれるパラメータの種類が多いため、ここでは、図６乃至９に分けて、ページデータの内容を説明する。
【００５１】
ページデータ記憶部３００は、図６に示されているようなページデータを記憶する。図６は、ページデータを示す概念図である。ページデータは、ディスプレイ３に表示される１ページ分のデータ（ストローク配列データ（各ストロークデータ）及びメディアデータ）である。なお、ページデータに含まれるパラメータの種類が多いため、ここでは、図６乃至９に分けて、ページデータの内容を説明する。
ページデータは、図６に示されているように、任意の１ページを識別するためのページデータＩＤ、このページの表示を開始した時刻を示す開示時刻、ストロークやジェスチャ等によるページの内容の書き換えが行われなくなった時刻を示す終了時刻、電子ペン４やユーザの手Ｈによるストロークによって生じたストローク配列データを識別するためのストローク配列データＩＤ、及びメディアデータを識別するためのメディアデータＩＤが関連付けて記憶されている。ストローク配列データは、後述の図２０に示されているストローク画像（Ｂ）がディスプレイ３上に表示されるためのデータである。メディアデータは、後述の１６に示されている背景画像（Ｄ）がディスプレイ３上に表示されるためのデータである。
【００５２】
このようなページデータにより、例えば、ユーザが電子ペン４によってアルファベット「Ｓ」を描く場合は一筆書きとなるため、ストロークデータＩＤが１つで一文字のアルファベット［Ｓ］が示される。ところが、ユーザが電子ペン４によって、アルファベット「Ｔ」を描く場合、二筆書きとなるため、ストロークデータＩＤが２つで一文字のアルファベット「Ｔ」が示されることになる。
【００５３】
また、ストローク配列データは、図７に示されているように詳細な情報を示している。図７は、ストローク配列データを示す概念図である。図７に示されているように、１つのストローク配列データは、複数のストロークデータによって表される。そして、１つのストロークデータは、このストロークデータを識別するためのストロークデータＩＤ、１つのストロークの書き始めの時刻を示す開始時刻、１つのストロークの書き終わりの時刻を示す終了時刻、ストロークの色、ストロークの幅、及び、ストロークの通過点の配列を識別するための座標配列データＩＤを示している。
【００５４】
更に、この座標配列データは、図８に示されているように詳細な情報を示している。図８は、座標配列データを示す概念図である。図８に示されているように、座標配列データは、ディスプレイ３上の１点（Ｘ座標値、Ｙ座標値）、この１点を通過したときのストロークの開示時刻からの差分の時刻（ｍｓ）、及び、この１点における電子ペン４の筆圧の各情報を示している。
【００５５】
即ち、図８に示されている１点の集まりが、図７に示されている１つの座標配列データで示されている。例えば、ユーザが電子ペン４によって、アルファベット「Ｓ」を描く場合、一筆書きとなるが、「Ｓ」を描き終えるまでに、複数の通過点を通過するため、座標配列データは、これら複数の通過点の情報を示している。
【００５６】
また、図６に示されているページデータのうちのメディアデータは、図９に示されているように詳細な情報を示している。図９は、メディアデータを示す概念図である。図９に示されているように、メディアデータは、図６に示されているページデータにおけるメディアデータＩＤ、メディアデータのデータ種類、ページ処理部３７からページデータ記憶部３００にページデータが記憶された記録時刻、ページデータによってディスプレイ３上に表示される画像の位置（Ｘ座標値、Ｙ座標値）及び画像のサイズ（幅、高さ）、並びにメディアデータの内容を示すデータが関連付けられて示されている。このうち、ページデータによってディスプレイ３上に表示される画像の位置は、ディスプレイ３の左上端の座標を（Ｘ座標値，Ｙ座標値）＝（０，０）とした場合に、ページデータによって表示される画像の左上端の位置を示している。
【００５７】
図３に戻り、遠隔ライセンス管理テーブル３１０は、遠隔共有処理を実行するために必要なライセンスデータを管理する。この遠隔ライセンス管理テーブル３１０では、図１０に示されているように、電子黒板２のプロダクトＩＤ、認証に用いられるライセンスＩＤ、及びライセンスの有効期限が関連付けて管理されている。
【００５８】
（ファイル処理部４０の機能構成）
続いて、図４を用いて、図３に示されているファイル処理部４０の機能構成を説明する。なお、図４は、ファイル処理部の機能ブロック図である。以下では、最初に遠隔共有処理を開始する電子黒板２を「主催装置」、既に開始されている遠隔共有処理に後から参加する電子黒板２を「参加装置」と称して説明する。
【００５９】
ファイル処理部４０は、リカバリ処理部４１、ファイル入力部４２ａ、ファイル出力部４２ｂ、ファイル変換部４３、ファイル送信部４４、アドレス帳入力部４５、バックアップ処理部４６、バックアップ出力部４７、設定管理部４８、設定ファイル入力部４９ａ、及び設定ファイル出力部４９ｂを有している。更に、ファイル処理部４０は、アドレス帳管理テーブル４１０、バックアップデータ記憶部４２０、設定ファイル記憶部４３０、及び接続先管理テーブル４４０を有している。
【００６０】
このうち、リカバリ処理部４１は、電子黒板２が異常終了した後に、異常終了を検知し、未保存のページデータを復旧する。例えば、正常終了の場合は、ページデータがＰＤＦファイルとしてファイル処理部４０を介してＵＳＢ５に記録されるが、電源がダウンした等の異常終了の場合は、ページデータがページデータ記憶部３００に記録されたままになっている。そのため、再び、電源オンになった際に、リカバリ処理部４１は、ページデータ記憶部３００からページデータを読み出すことで復旧させる。
【００６１】
ファイル入力部４２ａは、ＵＳＢメモリ５から、ＰＤＦファイルを読み込み、各ページをページデータとしてページデータ記憶部３００に記憶する。ファイル変換部４３は、ページデータ記憶部３００に記憶されているページデータを、ＰＤＦ形式のファイルに変換する。
【００６２】
ファイル出力部４２ｂは、ファイル変換部４３によって出力されたＰＤＦファイルをＵＳＢメモリ５に記録する。ファイル送信部４４は、ファイル変換部４３によって生成されたＰＤＦファイルを、電子メールに添付して送信する。
【００６３】
このファイルの送信先は、表示重畳部３６によってディスプレイ３上にアドレス帳管理テーブル４１０の内容を表示し、ファイル送信部４４がユーザによるタッチパネル等の入力装置の操作により、宛先の選択を受け付けることによって決定される。アドレス帳管理テーブル４１０には、図１１に示されているように、宛先の名前及び宛先の電子メールのメールアドレスが関連付けて管理されている。また、ファイル送信部４４が、ユーザによるタッチパネル等の入力装置の操作により、宛先としてのメールアドレスの入力を受け付けることもできる。
【００６４】
アドレス帳入力部４５は、ＵＳＢメモリ５から電子メールアドレスの一覧ファイルを読み込み、アドレス帳管理テーブル４１０に管理する。
【００６５】
バックアップ処理部４６は、ファイル出力部４２ｂによって出力されたファイルや、ファイル送信部４４によって送信されたファイルを、バックアップデータ記憶部４２０に記憶することでバックアップする。なお、ユーザがバックアップ設定しない場合は、バックアップの処理は行われない。バックアップデータは、図１２に示されているように、ＰＤＦ形式で記憶される。
【００６６】
バックアップ出力部４７は、バックアップされたファイルをＵＳＢメモリ５に記憶する。この記憶には、ユーザによるタッチパネル等の入力装置の操作により、セキュリティーのためにパスワードが入力される。
【００６７】
設定管理部４８は、電子黒板２の各種設定情報を設定ファイル記憶部４３０に記憶したり読み出したりして管理する。この各種設定情報としては、例えば、ネットワーク設定、日付や時刻の設定、地域や言語の設定、メールサーバの設定、アドレス帳の設定、接続先リストの設定、バックアップに関する設定が挙げられる。なお、ネットワーク設定は、例えば、電子黒板２のＩＰアドレスの設定、ネットマスクの設定、デフォルトゲートウェイの設定、又はＤＮＳ(Domain Name System)の設定等である。
【００６８】
設定ファイル出力部４９ｂは、電子黒板２の各種設定情報を、設定ファイルとしてＵＳＢメモリ５に記録させる。なお、設定ファイルはセキュリティーによって、ユーザは中身を見ることができない。
【００６９】
設定ファイル入力部４９ａは、ＵＳＢメモリ５に記憶されている設定ファイルを読み込み、各種設定情報を電子黒板の各種設定に反映させる。
【００７０】
アドレス帳入力部５０は、ＵＳＢメモリ５から遠隔共有処理の接続先ＩＰアドレスの一覧ファイルを読み込み、接続先管理テーブル４４０に管理する。なお、図１３に示されているように、接続先管理テーブル４４０は、電子黒板２が遠隔共有処理に参加しようとする参加装置である場合、この参加装置のユーザが主催装置としての役割を果たす電子黒板のＩＰアドレスを入力する手間を削減するために、予め管理しておくためのテーブルである。この接続先管理テーブル４４０では、参加されることが可能な主催装置としての電子黒板２が設置されている拠点の名称、及び主催装置としての電子黒板２のＩＰアドレスが関連付けて管理されている。
【００７１】
なお、接続先管理テーブル４４０は、無くてもよい。但し、この場合には、参加装置のユーザは、主催装置との間で遠隔要求処理の開始するために、タッチパネル等の入力装置によって、主催装置のＩＰアドレスを入力する必要がある。そのため、参加装置のユーザは、電話や電子メール等によって、主催装置のユーザから、主催装置のＩＰアドレスを知得する。
【００７２】
参加拠点管理テーブル４５０は、電子黒板が主催装置である場合、現在、遠隔共有処理に参加している参加装置としての電子黒板を管理するテーブルである。この参加拠点管理テーブル４５０では、図１４に示されているように、参加中の電子黒板２が設置されている拠点の名称及び当該電子黒板２のＩＰアドレスが関連付けて管理されている。参加装置が複数の場合は、複数のＩＰアドレスが登録される。
【００７３】
（通信制御部６０の機能構成）
次に、図５を用いて、通信制御部６０の機能構成について説明する。図５は、通信制御部６０の機能ブロック図である。通信制御部６０は、通信ネットワーク９を介して、他の電子黒板２と行う通信や、サーバ機９０における後述の通信制御部７０と行う通信を制御する。そのため、通信制御部６０は、遠隔開始処理部６１、遠隔参加処理部６２、遠隔画像送信部６３、遠隔画像受信部６４、遠隔操作送信部６５、遠隔操作受信部６６、及び参加拠点管理テーブル６１０を有している。
【００７４】
このうち、遠隔開始処理部６１は、同じ電子黒板２のサーバ機９０に対して、新たに遠隔共有処理を開始する要求を行い、サーバ機９０から要求の結果を受信する。この場合、遠隔開始処理部６１は、遠隔ライセンス管理テーブル３１０を参照し、ライセンス情報（プロダクトＩＤ、ライセンスＩＤ、及び有効期限）が管理されている場合には、遠隔共有処理を開始する要求を行うことができる。但し、ライセンス情報が管理されていない場合には遠隔共有処理を開始する要求を行うことができない。
【００７５】
参加拠点管理テーブル６１０は、電子黒板が主催装置である場合、現在、遠隔共有処理に参加している参加装置としての電子黒板を管理するテーブルである。この参加拠点管理テーブル６１０では、図１４に示されているように、参加中の電子黒板２が設置されている拠点の名称及び当該電子黒板２のＩＰアドレスが関連付けて管理されている。
【００７６】
遠隔参加処理部６２は、通信ネットワーク９を介して、既に遠隔共有処理を開始している主催装置としての電子黒板２のサーバ機９０における遠隔接続要求受信部７１に対して、遠隔共有処理への参加要求を行う。この場合も、遠隔参加処理部６２は、遠隔ライセンス管理テーブル３１０を参照する。また、遠隔参加処理部６２が、既に開始されている遠隔共有処理に参加する場合には、接続先管理テーブル４４０を参照して、参加先の電子黒板２のＩＰアドレスを取得する。なお、遠隔参加処理部６２によって接続先管理テーブルが参照されず、ユーザによるタッチパネル等の入力装置の操作により参加先の電子黒板２のＩＰアドレスが入力されてもよい。
【００７７】
遠隔画像送信部６３は、映像取得部２１から画像取得部３１を介して送られて来た出力画像（Ｃ）を、サーバ機９０に送信する。
【００７８】
遠隔画像受信部６４は、サーバ機９０から、他の電子黒板２に接続された映像出力機器からの画像データを受信し、表示重畳部３６に出力することで、遠隔共有処理を可能にする。
【００７９】
遠隔操作送信部６５は、遠隔共有処理に必要な各種操作データをサーバ機９０に送信する。この各種操作データとしては、例えば、ストロークの追加、ストロークの削除、ストロークの編集（拡大、縮小、移動）、ページデータの記憶、ページデータの作成、ページデータの複製、ページデータの削除、表示されているページの切り替え等に関するデータが挙げられる。また、遠隔操作受信部６６は、サーバ機９０から、他の電子黒板２で入力された操作データを受信し、画像処理部３０に出力することで、遠隔共有処理を行う。
【００８０】
〔サーバ機の機能構成〕
続いて、図５を用いて、サーバ機９０の機能構成について説明する。サーバ機９０は、各電子黒板２に設けられており、いずれの電子黒板２であっても、サーバ機としての役割を果たすことができる。そのため、サーバ機９０は、通信制御部７０、及びデータ管理部８０を有している。
【００８１】
（通信制御部７０の機能構成）
次に、図５を用いて、通信制御部７０の機能構成について説明する。
【００８２】
通信制御部７０は、同じ電子黒板２内のクライアント機２０における通信制御部６０、及び、通信ネットワーク９を介して他の電子黒板２内のクライアント機２０における通信制御部７０との通信を制御する。データ管理部８０は、操作データや画像データ等を管理する。
【００８３】
更に詳細に説明すると、通信制御部７０は、遠隔接続要求受信部７１、遠隔接続結果送信部７２、遠隔画像受信部７３、遠隔画像送信部７４、遠隔操作受信部７５、及び遠隔操作送信部７６を有している。
【００８４】
このうち、遠隔接続要求受信部７１は、遠隔開始処理部６１からの遠隔共有処理の開始要求を受信したり、遠隔参加処理部６２からの遠隔共有処理に対する参加要求を受信する。遠隔接続結果送信部７２は、遠隔開始処理部６１へ遠隔共有処理の開始要求の結果を送信したり、遠隔参加処理部６２へ遠隔共有処理に対する参加要求の結果を送信する。
【００８５】
遠隔画像受信部７３は、遠隔画像送信部６３からの画像データ（出力画像（Ｃ）のデータ）を受信し、後述の遠隔画像処理部８２に送信する。遠隔画像送信部７４は、遠隔画像処理部８２から画像データを受信し、遠隔画像受信部６４に対して、この画像データを送信する。
【００８６】
遠隔操作受信部７５は、遠隔操作送信部６５からの操作データ（ストローク画像（Ｂ）等のデータ）を受信し、後述の遠隔操作処理部８３に送信する。遠隔操作送信部７６は、遠隔操作処理部８３から操作データを受信し、遠隔操作受信部６６に対して、この操作データを送信する。
【００８７】
（データ管理部の機能構成）
次に、図５を用いて、データ管理部８０の機能構成について説明する。データ管理部８０は、遠隔接続処理部８１、遠隔画像処理部８２、遠隔操作処理部８３、操作合成処理部８４、及びページ処理部８５を有している。更に、サーバ機９０は、パスコード管理部８１０、参加拠点管理テーブル８２０、画像データ管理部８３０、操作データ記憶部８４０、ページデータ記憶部８５０、及び、機能制限管理部８６０を有している。
【００８８】
このうち、遠隔接続処理部８１は、遠隔共有処理の開始、及び遠隔共有処理の終了を行う。また、遠隔接続処理部８１は、遠隔接続要求受信部７１が、遠隔開始処理部６１から遠隔共有処理の開始要求と共に受信したライセンス情報、又は、遠隔参加処理部６２から遠隔共有処理の参加要求と共に受信したライセンス情報に基づいて、ライセンスの有無やライセンスの期間内であるかを確認する。更に、遠隔接続処理部８１は、クライアント機としての他の電子黒板２からの参加要求が予め定められた参加可能数を超えていないかを確認する。
【００８９】
更に、遠隔接続処理部８１は、他の電子黒板２から遠隔共有処理に対する参加要求があった際に送られて来たパスコードが、パスコード管理部８１０で管理されているパスコードと同じであるか否かを判断し、同じである場合には、遠隔共有処理の参加を許可する。なお、このパスコードは、新たに遠隔共有処理を開始する際に、遠隔接続処理部８１によって発行され、遠隔共有処理に参加しようとする参加装置としての電子黒板２のユーザが、主催装置としての電子黒板２のユーザから、電話や電子メール等により伝えられる。これにより、遠隔共有処理に参加しようとする参加装置としての電子黒板２のユーザが、この電子黒板２にパスコードを入力して参加要求することで、参加が許可されることになる。なお、セキュリティーよりもユーザの使い勝手を優先して、ライセンス状況の確認だけで、パスコードの確認を省略してもよい。
【００９０】
また、電子黒板２が主催装置の場合、遠隔接続処理部８１は、参加装置の遠隔参加処理部６２から通信ネットワーク９を介して送られて来た参加要求に含まれる参加拠点情報を、サーバ部９０の参加拠点管理テーブル８２０に記憶する。そして、遠隔接続処理部８１は、参加拠点管理テーブル８２０に記憶されている遠隔拠点情報を読み出し、遠隔接続結果送信部７２に送信する。遠隔接続結果送信部７２は、同じ主催装置のクライアント部２０における遠隔開始処理部６１に遠隔拠点情報を送信する。遠隔開始処理部６１は、参加拠点管理テーブルに６１０に、遠隔拠点情報を記憶する。これにより、主催装置では、クライアント部２０及びサーバ部９０の両方で、遠隔拠点情報を管理することになる。
【００９１】
また、遠隔接続処理部８１は、遠隔接続要求受信部７１を介してクライアント機２０の遠隔参加処理部６２から機能制限リストを取得する。遠隔接続処理部８１は重複しない遠隔会議ＩＤを作成して、機能制限リストを機能制限管理部８６０に記憶する。機能制限リストは、後述するように、本来、参加装置に認められている機能が制限されているか否かが登録されている。
【００９２】
遠隔画像処理部８２は、遠隔共有処理中の各電子黒板２のクライアント機（主催装置である自己の電子黒板のクライアント機を含む）に接続された映像出力機器（ノードＰＣ６等）からの画像データ（出力画像（Ｃ））を受信して画像データ記憶部８３０に記憶すると共に、主催装置である自己の電子黒板２のサーバ機９０に届いた時間順で遠隔共有処理すべき画像データの表示順を判定する。また、遠隔画像処理部８２は、参加拠点管理テーブル８２０を参照し、遠隔共有処理に参加中の全ての電子黒板２のクライアント機２０（主催装置である自己の電子黒板のクライアント機を含む）に、通信制御部７０（遠隔画像送信部７４）を介して、上記判定した順番で画像データを送信する。
【００９３】
遠隔操作処理部８３は、遠隔共有処理中の各電子黒板２のクライアント機（主催装置である自己の電子黒板のクライアント機を含む）で描画されたストローク画像等の各種操作データ（ストローク画像（Ｂ）等）を受信し、主催装置である自己の電子黒板２のサーバ機９０に届いた時間順で遠隔共有処理すべき画像の表示順を判定する。なお、各種操作データは、上述の各種操作データと同じである。また、遠隔操作処理部８３は、参加拠点管理テーブル８２０を参照し、遠隔共有処理中の全ての電子黒板２のクライアント機２０（主催装置である自己の電子黒板のクライアント機を含む）に操作データを送信する。
【００９４】
操作合成処理部８４は、遠隔操作処理部８３から出力された各電子黒板２の操作データを合成し、この合成結果としての操作データを、操作データ記憶部８４０に記憶するとともに遠隔操作処理部８３に戻す。この操作データは、遠隔操作送信部７６から、主催装置である電子黒板のクライアント機、及び参加装置である電子黒板のクライアント機のそれぞれに送信されることで、各電子黒板２で同じ操作データに係る画像が表示される。そのために、操作データは、図１５に示されているように、SEQ(Sequence)、操作データの操作名、操作データの送信元である電子黒板２のＩＰアドレス及びクライアント機（サーバ機）のPort No.、操作データの送信先である電子黒板２のＩＰアドレス及びクライアント機（サーバ機）のPort No,、操作データの操作種類、操作データの操作対象、並びに操作データの内容を示すデータが関連付けられて示されている。例えば、SEQ1では、主催装置である電子黒板（ＩＰアドレス：192.0.0.1）のクライアント機（Port No.:50001）でストロークが描画されると、同じ主催装置である電子黒板（ＩＰアドレス：192.0.0.1）のサーバ機（Port No.:50000）に操作データが送られたことが示されている。この場合の操作種類は「STROKE」、操作対象はページデータＩＤ「p005」、及び、操作データの内容を示すデータはストロークを示すデータである。また、SEQ2では、主催装置である電子黒板（ＩＰアドレス：192.0.0.1）のサーバ機（Port No.:50000）から、参加装置である他の電子黒板（ＩＰアドレス：192.0.0.1）のクライアント機（Port No.:50001）に、操作データが送られたことが示されている。
なお、操作合成処理部８４は、この操作合成処理部８４に操作データが入力された順に合成を行うため、通信ネットワーク９が混雑していなければ、各電子黒板２のユーザによるストローク順に、遠隔共有処理中の全ての電子黒板２のディスプレイ３にストローク画像（Ｂ）が表示される。
【００９５】
ページ処理部８５は、クライアント機２０の画像処理部３０におけるページ処理部３７と同様の機能を有し、サーバ機９０でも、図６乃至図８に示されているページデータを、ページデータ記憶部８５０に記憶する。なお、ページデータ記憶部８５０は、画像処理部３０におけるページデータ記憶部３００と同じ内容であるため、その説明を省略する。
【００９６】
図１６は機能制限管理部８６０に記憶されている機能制限リストを模式的に説明する図の一例である。機能制限リストでは、遠隔会議ＩＤに各機能の制限の有無が対応づけられている。図１６では遠隔会議ＩＤは、遠隔会議を主催する主催装置のＩＰアドレスとしているが、遠隔会議ＩＤは会議を一意に指定する識別子であればよく、数値、アルファベット、文字、又は、記号の任意の組み合わせでもよい。
【００９７】
会議に参加しているクライアント機２０が可能な機能は、ＵＳＢメモリに保存、メール送信、ページ印刷、ファイル読み込み、ページ作成、画面キャプチャ、リカバリ、バックアップ、映像入力、ページ削除、ページ複製、ページ切り替え、ページ書き込み、などである。なお、機能を特定するために各機能には予め固有の識別子が与えられている。例えば、ＵＳＢメモリに保存という機能の識別子は「ＳＡＶＥ０１」の如くである。
【００９８】
また、各機能が制限されている場合は「ＦＡＬＳＥ」と、制限されていない場合は「ＴＲＵＥ」と設定されている。例えば、遠隔会議ＩＤ＝123.123.123.123の遠隔会議では、参加するクライアント機の機能制限はない。遠隔会議ＩＤ＝123.123.123.124の遠隔会議では、一部の機能が制限されており、遠隔会議ＩＤ＝123.123.123.125の遠隔会議では、すべての機能が制限されている。
【００９９】
（機能制限に関するＵＩ画像）
図１７〜１９は、機能制限リストの作成画面の一例を示す図である。図１７の画面は、主催装置のユーザが会議を開催する際に電子黒板２を操作することで、ＵＩ画像生成部３３が作成する。図１７では「以下の項目を選択することで、参加者の機能を制限できます。」というメッセージ２０１と共に、保存機能（特許請求の範囲の保存操作の一例である）、編集機能（特許請求の範囲の保存操作の一例である）、及び、表示機能（特許請求の範囲の表示操作の一例である）を選択するためのチェックボックス２０３が表示されている。チェックボックス２０３がチェックされた機能は制限される。保存機能では、ディスプレイ３に表示された画像（例えば、ページデータ、ファイルが開いて表示された画像）を保存可能なので、保存機能が制限されることでセキュリティを向上できる。
【０１００】
保存機能、編集機能、表示機能は、それぞれの機能をまとめたものであり、ユーザがチェックボックス２０３をチェックすることで保存機能、編集機能又は表示機能に分類される全ての機能を制限できる。また、ユーザが詳細ボタン２０２を押下することで、図１８に示すように、保存機能に分類される詳細な機能が表示される。編集機能、表示機能についても同様にそれぞれの機能の詳細が表示される。
【０１０１】
開催するボタン２０４は、会議を開催するためのボタンである。開催するボタン２０４が押下されると、制限受付部２６１が機能制限を受け付ける。これにより、クライアント機２０の遠隔参加処理部６２が開催要求と機能制限リストをサーバ機９０の遠隔接続要求受信部７１に送信する。なお、キャンセルボタン２０５は会議を開催することなく作成画面を終了するためのボタンである。
【０１０２】
図１８は、編集機能の詳細ボタン２０２が押下された場合の機能制限リストの作成画面の一例を示す図である。個別の機能が表示されると、詳細ボタン２０２は戻るボタン２０７に変わり、戻るボタン２０７を押下することで個別の機能項目を非表示にできる。保存機能は、例えば、ＵＳＢメモリに保存、メール送信、ページ印刷、バックアップ、リカバリである。それぞれにチェックボックス２０６が配置されているので、ユーザは任意の機能を選択して制限することができる。
【０１０３】
なお、編集機能の詳細ボタン２０２を押下すると、編集機能に分類される具体的な編集のための機能として、チェックボックスと共に、ページ作成、画面キャプチャ、ページ削除、ページ複製、及び、ページ書き込みなどが表示される。ページ作成やページ書き込みが制限されることで、機密情報の書き込みを制限できるのでセキュリティを向上できる。画面キャプチャが制限されることで、ＰＣ６が表示している画面が保存できなくなるのでセキュリティを向上できる。ページ複製が制限されることでページデータの配布が困難になるのでセキュリティを向上できる。ページ削除が制限されることで、ページデータの紛失を防止できる。また、ページ作成やページ書き込みなどが制限されれば、主催装置のユーザが会議の進行を制御しやすくなる。
【０１０４】
また、表示機能の詳細ボタン２０２を押下すると、表示機能に分類される具体的な表示のための機能として、チェックボックスと共に、ファイル読み込み、ページ切り替え、及び、映像入力、などが表示される。参加装置からディスプレイ３に表示される内容を変更できなくなるので、主催装置のユーザが会議の進行を制御しやすくなる。また、ファイル読み込みが制限されることで、参加装置が保持する任意のファイルの内容の表示が困難になりセキュリティを向上できる。映像入力が制限されることで、参加装置が保持する映像の表示が困難になりセキュリティを向上できる。
【０１０５】
図１９は、遠隔会議に参加する参加装置がディスプレイ３に表示する画面の一例を示す。図１９では「以下の機能が制限されていますが、参加しますか？」というメッセージ２１０と共に、制限されている機能が表示されている。この画面は、サーバ機９０に参加要請した参加装置が、サーバ機９０から機能制限管理部８６０に記憶されている機能制限リストを受信して表示する。
【０１０６】
参加装置のＵＩ画像生成部３３は機能制限リストを参照して図１９の画面を表示する。図１９においても保存機能、編集機能、表示機能は、それぞれの機能をまとめたものであり、ユーザが詳細ボタン２０２を押下することで、制限の詳細な内容を表示できる。ユーザは参加しようとする会議の制限を把握して、参加するか否かを判断できる。参加するボタン２０８を押下すると、主催装置のサーバ機９０に参加要求が送信され、キャンセルボタン２０９を押下すると、図１９の画面が終了する。
【０１０７】
＜実施形態の処理又は動作＞
続いて、図２１〜図２３を用いて、本実施形態の処理又は動作について説明する。なお、図２１〜２３は、各電子黒板の処理を示したシーケンス図である。
【０１０８】
図２１〜２３に示す実施形態では、電子黒板２ａが遠隔共有処理を主催する主催装置（サーバ機及びクライアント機）としての役割を果たしており、電子黒板２ｂ，２ｃが遠隔共有処理に参加する参加装置（クライアント機）としての役割を果たす場合について説明する。また、ここでは、電子黒板２ａ，２ｂ，２ｃには、それぞれディスプレイ３ａ，３ｂ，３ｃが接続され、更に、それぞれノートＰＣ６ａ，６ｂ，６ｃが接続されている。また、電子黒板２ａ，２ｂ，２ｃでは、それぞれ電子ペン４ａ，４ｂ，４ｃが使用される。
【０１０９】
図２１は、電子黒板２ａが機能制限付きで遠隔会議を開催するシーケンス図の一例を示す。
【０１１０】
電子黒板２ａのユーザはＵＩ画像生成部３３が作成した機能制限リストの作成画面を操作して開催するボタン２０４を押下する。これにより制限受付部２６１が機能制限リストを作成する。クライアント機２０の画像処理部３０は遠隔参加処理部６２に機能制限リストを出力し、遠隔参加処理部６２は遠隔会議の開催要求と機能制限リストをサーバ機に送信する（Ｓ１）。
【０１１１】
サーバ機９０の遠隔接続要求受信部７１は遠隔会議の開催要求と機能制限リストを受信して、遠隔接続処理部８１に出力する。これにより、遠隔接続処理部８１は遠隔会議の開始処理を行う（Ｓ２）。具体的には、遠隔会議ＩＤを作成し、機能制限リストを遠隔会議ＩＤに対応づけて機能制限管理部８６０に記憶する。
【０１１２】
機能制限リストを記憶すると、遠隔接続処理部８１は遠隔接続結果送信部7２を介して、クライアント機２０の遠隔開始処理部６１に開催許可を送信する（Ｓ３）。
【０１１３】
（参加の処理）
次に、図２２を用いて、電子黒板２ｂ，２ｃが遠隔共有処理に参加するための処理について説明する。
【０１１４】
ユーザが電子黒板２ａの電源スイッチをオンにすると、電子黒板２ａのクライアント部２０が起動する。そして、ユーザがタッチパネル等の入力装置によってサーバ部９０を起動させる操作をすると、クライアント部２０の遠隔開始処理部６１から同じ電子黒板２ａのサーバ部９０における遠隔接続要求受信部７１に、サーバ部９０の処理を開始させる指示を出力する。これにより、電子黒板２ａでは、クライアント部２０だけでなくサーバ部９０も各種処理を開始可能となる（ステップＳ２１）。
【０１１５】
次に、電子黒板２ａのクライアント機２０におけるＵＩ画像生成部３３が電子黒板２ａとの接続を確立するための接続情報を生成し、映像重畳部２８が、ＵＩ画像生成部３３から表示重畳部３６を介して得た接続情報をディスプレイ３ａに表示させる（ステップＳ２２）。この接続情報には、主催装置のＩＰアドレス、及び今回の遠隔共有処理のために生成されたパスコードが含まれている。この場合、パスコード管理部８１０に記憶されているパスコードは、図５に示されている遠隔接続処理部８１によって読み出され、遠隔接続結果送信部７２、遠隔開始処理部６１の順に送信される。更に、パスコードは、遠隔開始処理部６１を含む通信制御部６０から、図３に示されている画像処理部３０に送信され、最終的にＵＩ画像生成部３３に入力される。これにより、接続情報には、パスコードが含まれる。そして、接続情報は、電子黒板２ａのユーザによって、電話や電子メールにより、電子黒板２ｂ，２ｃのユーザに伝えられる。なお、接続先管理テーブル４４０があれば、接続情報には、主催装置のＩＰアドレスが含まれていなくても、参加装置は参加要求を行うことができる。
【０１１６】
次に、電子黒板２ｂ，２ｃでは、各ユーザによるタッチパネル等の入力装置の操作によって接続情報の入力を受け付けると、各電子黒板２ａ，２ｂのクライアント機２０における遠隔参加処理部６２が、接続情報のＩＰアドレスに基づき、通信ネットワーク９を介して、電子黒板２ａのサーバ機９０における遠隔接続要求受信部７１に対してパスコードを送信して参加要求を行う（ステップＳ２３，Ｓ２４）。これにより、通信制御部７０の遠隔接続要求受信部７１は、各電子黒板２ｂ，２ｃから、参加要求（パスコードを含む）を受信し、このパスコードを遠隔接続処理部８１に出力する。また、この時、電子黒板２ｂ、２ｃは遠隔会議ＩＤを電子黒板２ａに送信する。
【０１１７】
次に、遠隔接続処理部８１は、電子黒板２ｂ，２ｃの各クライアント機２０から受信したパスコードに対し、パスコード管理部８１０で管理されているパスコードを用いて認証する（ステップＳ２５）。そして、遠隔接続結果送信部７２が、各電子黒板２ｂ，２ｃのクライアント機２０に認証結果を通知する（ＳステップＳ２６，Ｓ２７）。ステップＳ２５の認証により、正当な電子黒板であると判断されていた場合には、主催装置である電子黒板２ａと、参加装置である電子黒板２ｂ，２ｃとの遠隔共有処理の通信が確立され、各電子黒板２ｂ，２ｃのクライアント機２０における遠隔参加処理部６２が、それぞれ他の電子黒板との間の遠隔共有処理の開始を可能にする（ステップＳ２８，Ｓ２９）。
【０１１８】
電子黒板２ａの遠隔接続処理部８１は遠隔会議の参加処理を行う（Ｓ２９−１）。具体的には、遠隔会議ＩＤをキーにして機能制限管理部８６０を検索し、遠隔会議ＩＤに対応づけられた機能制限リストを読み出す。
【０１１９】
電子黒板２ａの遠隔接続処理部８１は電子黒板２ｂ、２ｃに機能制限を要求する（Ｓ２９−２、２９−３）。具体的には、機能制限リストを送信して、電子黒板２ｂ、２ｃのクライアント機２０に表示させる。
【０１２０】
電子黒板２ｂ、２ｃのクライアント機２０は機能制限処理を行う（Ｓ２９−４、２９−５）。機能制限処理では、図１９に示すように、クライアント機２０のＵＩ画像生成部３３が機能制限リストを用いて参加しようとする会議において制限されている機能を表示する。また、図１９の画面で参加するボタン２０８が押下された場合、操作制限部３３１が機能制限に応じたＵＩ画像を作成すること、である。機能制限されたＵＩ画像については図２４〜２６で説明する。
【０１２１】
電子黒板２ｂ、２ｃのユーザが図１９の画面で参加するボタン２０８を押下すると、電子黒板２ｂ、２ｃの遠隔参加処理部６２は機能制限受託を電子黒板２ａに送信する（Ｓ２９−６，２９−７）。
【０１２２】
電子黒板２ａの遠隔接続処理部８１は参加登録処理を行う（Ｓ２９−８）。すなわち、参加拠点管理テーブル８２０に参加装置のＩＰアドレスを登録する。
【０１２３】
電子黒板２ａの遠隔接続処理部８１は、電子黒板２ｂ、２ｃに参加許可を送信する（Ｓ２９−９、２９−１０）。
【０１２４】
（出力画像の表示）
まず、電子黒板２ｂは、ディスプレイ３ｂに出力画像（Ｃ）を表示する（ステップＳ３０）。具体的には、電子黒板２ｂの画像取得部３１が、ノートＰＣ６ｂから映像取得部２１を介して、ノートＰＣ６ｂで表示されている出力画像（Ｃ）のデータを受信し、表示重畳部３６及び映像重畳部２８を介してディスプレイ３ｂに送信することで、ディスプレイ３ｂは出力画像（Ｃ）を表示する。
次に、電子黒板２ｂの画像取得部３１を含む画像処理部３０が、遠隔画像送信部６３に出力画像（Ｃ）のデータを送信することで、遠隔画像送信部６３を含む通信制御部６０が通信ネットワーク９を介して、主催装置である電子黒板２ａの通信制御部７０に出力画像（Ｃ）のデータを送信する（ステップＳ３１）。これにより、電子黒板２ａの遠隔画像受信部７３は、出力画像（Ｃ）のデータを受信し、遠隔画像処理部８２に出力することで、遠隔画像処理部８２が画像データ記憶部８３０に出力画像（Ｃ）のデータを記憶する。
次に、主催装置である電子黒板２ａは、ディスプレイ３ａに出力画像（Ｃ）を表示する（ステップＳ３２）。具体的には、電子黒板２ａの遠隔画像処理部８２は、遠隔画像受信部７３から受信した出力画像（Ｃ）のデータを、遠隔画像送信部７４に出力する。遠隔画像送信部７４は、同じ主催装置である電子黒板２ａのクライアント部２０における遠隔画像受信部６４に、出力画像（Ｃ）のデータを出力する。遠隔画像受信部６４は、表示重畳部３６に出力画像（Ｃ）のデータを出力する。表示重畳部３６は、映像重畳部２８に出力画像（Ｃ）のデータを出力する。映像重畳部２８はディスプレイ３ａに出力画像（Ｃ）のデータを出力する。これにより、ディスプレイ３ａは、出力画像（Ｃ）を表示する。
次に、主催装置としての電子黒板２ａのサーバ部９０における遠隔画像送信部７４を含む通信制御部７０は、通信ネットワーク９を介して、出力画像（Ｃ）のデータの送信元である電子黒板２ｂ以外の電子黒板２ｃの通信制御部６０に出力画像（Ｃ）のデータを送信する（ステップＳ３３）。これにより、参加装置である電子黒板２ｃの遠隔画像受信部６４は、出力画像（Ｃ）のデータを受信する。
次に、電子黒板２ｃは、ディスプレイ３ｃに出力画像（Ｃ）を表示する（ステップＳ３４）。具体的には、電子黒板２ｃの遠隔画像受信部６４が、上記ステップＳ３３によって受信された出力画像（Ｃ）のデータを、電子黒板２ｃの表示重畳部３６に出力する。表示重畳部３６は、映像重畳部２８に出力画像（Ｃ）のデータを出力する。映像重畳部２８はディスプレイ３ｃに出力画像（Ｃ）のデータを出力する。これにより、ディスプレイ３ｃは、出力画像（Ｃ）を表示する。
なお、出力画像（Ｃ）のデータだけでなく、ＵＩ画像（Ａ）、及びストローク画像（Ｂ）の各データが、表示重畳部２８に入力されている場合には、表示重畳部３６により、重畳画像（Ａ，Ｂ，Ｃ）が生成され、映像重畳部２８はディスプレイ３ｃに重畳画像（Ａ，Ｂ，Ｃ）のデータを出力する。また、テレビ会議端末７から映像重畳部２８に、テレビ会議用の映像（Ｅ）のデータが送られて来ている場合には、映像重畳部２８は、重畳画像（Ａ，Ｂ，Ｃ）にピクチャーインピクチャーによりテレビ会議用の映像（Ｅ）のデータを重畳して、ディスプレイ３ｃに出力する。
（重畳画像の表示）
続いて、遠隔共有処理における操作データの処理について説明する。
【０１２５】
まず、電子黒板２ｂは、ユーザが電子ペン４ｂを用いて電子黒板２ｂにストローク画像（Ｂ）を描画している（ステップＳ４１）。
【０１２６】
次に、電子黒板２ｂのクライアント機２０における表示重畳部３６は、図２０に示されているように、ＵＩ画像（Ａ）、出力画像（Ｃ）、及び背景画像（Ｄ）に対して、ストローク画像（Ｂ）を重畳し、映像重畳部２８が、電子黒板２ｂのディスプレイ３ｂ上に、重畳された重畳画像（Ａ，Ｂ，Ｃ，Ｄ）を表示させる（ステップＳ４２）。具体的には、電子黒板２ｂのストローク処理部３２が座標検知部２１及び接触検知部２４からイベント振分部２５を介して、操作データとしてのストローク画像（Ｂ）のデータを受信し、表示重畳部３６に送信する。これにより、表示重畳部３６は、ＵＩ画像（Ａ）、及び出力画像（Ｃ）に対して、ストローク画像（Ｂ）を重畳することができ、映像重畳部２８が電子黒板２ｂのディスプレイ３ｂ上に重畳画像（Ａ，Ｂ，Ｃ）を表示させることができる。
【０１２７】
次に、電子黒板２ｂのストローク処理部３２を含む画像処理部３０が、遠隔操作送信部６５にストローク画像（Ｂ）のデータを送信することで、電子黒板２ｂの遠隔操作送信部６５は、通信ネットワーク２を介して、主催装置である電子黒板２ａの通信制御部７０にストローク画像（Ｂ）のデータを送信する（ステップＳ４３）。これにより、電子黒板２ａの遠隔操作受信部７５は、ストローク画像（Ｂ）のデータを受信し、遠隔操作処理部８３に出力することで、遠隔操作処理部８３が操作合成処理部８４にストローク画像（Ｂ）のデータを出力する。このようにして、電子黒板２ｂで描画されたストローク画像（Ｂ）のデータは、描画される度に、主催装置である電子黒板２ａの遠隔操作処理部８３に順次送信される。このストローク画像（Ｂ）のデータは、図７に示されているストロークデータＩＤ毎に示されるデータである。よって、例えば、上述したように、ユーザが電子ペン４によってアルファベット「Ｔ」を描く場合は二筆書きとなるため、２つのストロークデータＩＤのそれぞれで示されるストローク画像（Ｂ）のデータが順次送信される。
【０１２８】
次に、主催装置である電子黒板２ａは、ディスプレイ３ａに、電子黒板２ｂから送られて来たストローク画像（Ｂ）のデータが含まれた重畳画像（Ａ，Ｂ，Ｃ）を表示する（ステップＳ４４）。具体的には、電子黒板２ａの操作合成処理部８４は、遠隔操作処理部８３を介して順次送られて来た複数のストローク画像（Ｂ）のデータを合成して、操作データ記憶部８４０に記憶するとともに遠隔操作処理部８３に戻す。これにより、隔操作処理部８３は、操作合成処理部８４から受信した、合成後のストローク画像（Ｂ）のデータを、遠隔操作送信部７６に出力する。遠隔操作送信部７６は、同じ主催装置である電子黒板２ａのクライアント部２０における遠隔操作受信部６６に、合成後のストローク画像（Ｂ）のデータを出力する。遠隔操作受信部６６は、画像処理部３０における表示重畳部３６に、合成後のストローク画像（Ｂ）のデータを出力する。よって、表示重畳部３６は、ＵＩ画像（Ａ）、及び出力画像（Ｃ）に対して、合成後のストローク画像（Ｂ）を重畳する。最後に、映像重畳部２８が、表示重畳部３６によって重畳された重畳画像（Ａ，Ｂ，Ｃ）をディスプレイ３ａ上に表示させる。
次に、主催装置としての電子黒板２ａのサーバ部９０における遠隔操作送信部７６を含む通信制御部７０は、通信ネットワーク９を介して、ストローク画像（Ｂ）のデータの送信元である電子黒板２ｂ以外の電子黒板２ｃの通信制御部６０に、合成後のストローク画像（Ｂ）のデータを送信する（ステップＳ４５）。これにより、参加装置である電子黒板２ｃの遠隔操作受信部６６は、合成後のストローク画像（Ｂ）のデータを受信する。
次に、電子黒板２ｃは、ディスプレイ３ｃに重畳画像（Ａ，Ｂ，Ｃ）を表示する（ステップＳ３４）。具体的には、電子黒板２ｃの遠隔操作受信部６６が、上記ステップＳ４５によって受信された合成後のストローク画像（Ｂ）のデータを、電子黒板２ｃの画像処理部３０に出力する。画像処理部３０の表示重畳部３６は、ＵＩ画像（Ａ）、及び出力画像（Ｃ）の各データと、合成後のストローク画像（Ｂ）のデータを重畳し、映像重畳部２８に重畳画像（Ａ，Ｂ，Ｃ）のデータを出力する。映像重畳部２８は、ディスプレイ３ｃに重畳画像（Ａ，Ｂ，Ｃ）のデータを出力する。これにより、ディスプレイ３ｃは、重畳画像（Ａ，Ｂ，Ｃ）を表示する。
なお、上記処理では、ディスプレイ３上に出力画像（Ｃ）が表示されているが、この出力画像（Ｃ）に代えて、背景画像（Ｄ）を表示してもよい。また、出力画像（Ｃ）と背景画像（Ｄ）との排他的な関係をやめて、出力画像（Ｃ）と背景画像（Ｄ）との両方を同時にディスプレイ３上に表示させてもよい。
（参加の終了）
続いて、図２３を用いて、参加装置が遠隔共有処理への参加を終了する処理について説明する。図２３に示す実施形態では、電子黒板２ｃが参加を終了する処理が示されている。
【０１２９】
まず、電子黒板２ｃでは、ユーザによるタッチパネル等の入力装置の操作によって参加の終了要求を受け付けると、遠隔参加処理部６２は、主催装置としての電子黒板２ａのサーバ部９０における通信制御部７０に、参加の終了要求を行う（ステップＳ４７）。これにより、通信制御部７０の遠隔接続要求受信部７１は、電子黒板２ｃから、参加の終了要求を受信し、遠隔接続処理部８１に、電子黒板２ｃのＩＰアドレスとともに参加の終了要求を出力する。そして、電子黒板２ａの遠隔接続処理部８１は、遠隔接続要求受信部７１から送られて来たＩＰアドレスに基づいて、参加拠点管理テーブル８２０から、参加の終了要求を行った電子黒板２ｃのＩＰアドレス及び電子黒板２ｃが設置されている拠点の名称を削除し、遠隔接続結果送信部７２に、電子黒板２ｃのＩＰアドレス及び削除した旨の通知を出力する。
次に、遠隔接続結果送信部７２を含んだ通信制御部７０が、通信ネットワーク９を介して、電子黒板２ｃのクライアント部２０における通信制御部６０に、参加の終了を指示する（ステップＳ４８）。これにより、電子黒板２ｃにおける通信制御部６０の遠隔参加処理部６２が、遠隔共有処理の通信を切断することで、参加の終了処理を行うことで、参加が終了する（ステップＳ４９）。
【０１３０】
なお、図２１〜２３に示す実施形態では、クライアント機が画像フレームを提供するが、サーバ機が画像フレームを送信してもよい。また、本実施形態では、画像フレームを提供するクライアント機が描画情報を送信するが、他のクライアント機やサーバ機が描画情報を送信してもよい。さらに、本実施形態では、画像フレームを提供しないクライアント機が位置指示イベントを送信するが、画像フレームを提供しないサーバ機が位置指示イベント情報を送信してもよい。
【０１３１】
（機能制限の例）
図２４は、ディスプレイ３に表示されるＵＩ画像の一例を示す。このＵＩ画像では、ディスプレイ３の右側と下側にそれぞれアイコンが表示されている。これらのアイコンは、操作制限部３３１がＵＩ画像において機能を選択不能にするので、参加装置のユーザの操作を確実に制限できる。これらのアイコンは、特許請求の範囲の表示部品の一例である。
【０１３２】
図２５は、ＵＩ画像の右側の各アイコンをユーザが選択した場合の機能と、機能制限の対応について説明する図の一例である。ペンアイコンはユーザがホワイトボードに文字などを書き込むためのアイコンであり、ユーザはペンの色や太さを変更できる。機能制限リストの作成画面において「ページ書き込み」がチェックされると、ペンアイコンは選択不能となる。選択不能な表示方法は、例えば、白黒反転すること、アイコンそのものを非表示にすること、アイコンにバツ印を描画すること、などである。
【０１３３】
選択／削除アイコンはホワイトボードに書き込んだストロークを選択して拡大・縮小や移動、削除するためのアイコンである。機能制限リストの作成画面において「ページ書き込み」がチェックされると、選択／削除アイコンは選択不能となる。
【０１３４】
キャプチャーアイコンは、ディスプレイに書き込んだ内容を、ユーザがキャプチャーしてページに記録するためのアイコンである。パソコンなど、接続した機器の映像を表示しているときは、表示している映像も一緒に記録される。機能制限リストの作成画面において「画面キャプチャ」がチェックされると、キャプチャーアイコンは選択不能となる。
【０１３５】
新規ページアイコンは、ユーザが新しいページを表示するためのアイコンである。機能制限リストの作成画面において「ページ作成」がチェックされると、新規ページアイコンは選択不能となる。
【０１３６】
ページ送りアイコンは、表示しているページの次のページを表示するためのアイコンである。機能制限リストの作成画面において「ページ切り替え」がチェックされると、ページ送りアイコンは選択不能となる。
【０１３７】
ページ戻しアイコンは、表示しているページの前のページを表示するためのアイコンである。機能制限リストの作成画面において「ページ切り替え」がチェックされると、ページ戻しアイコンは選択不能となる。
【０１３８】
ＵＳＢメモリーアイコンは、すべてのキャプチャーページをPDF ファイルにしてUSBメモリーに保存するためのアイコンである。機能制限リストの作成画面において「ＵＳＢメモリに保存」がチェックされると、ＵＳＢメモリーアイコンは選択不能となる。
【０１３９】
メール保存アイコンは、すべてのキャプチャーページをPDF ファイルにしてメールで送信するためのアイコンである。機能制限リストの作成画面において「メール送信」がチェックされると、メール保存アイコンは選択不能となる。
【０１４０】
図２６は、下側の各アイコンをユーザが選択した場合の機能と、機能制限の対応について説明する図の一例である。
【０１４１】
ページアイコンは、記録されているページのサムネイルである。ユーザは任意のサムネイルを選択してスクリーンに表示することができる。機能制限リストの作成画面において「ページ切り替え」がチェックされると、ページアイコンは選択不能となる。
【０１４２】
ページ削除アイコンは、表示しているページを削除するためのアイコンである。機能制限リストの作成画面において「ページ削除」がチェックされると、ページ削除アイコンは選択不能となる。
【０１４３】
スクリーンページアイコンは、コンピューター入力に接続した機器の映像を表示・切り替えるためのアイコンである。機能制限リストの作成画面において「映像入力」がチェックされると、スクリーンページアイコンは選択不能となる。
【０１４４】
このように、操作制限部３３１がＵＩ画像において機能を選択不能にするので、拠点のユーザの操作を確実に制限できる。
【０１４５】
なお、本発明はこうした実施例に限られるものではなく、機能制限管理部８６０はサーバ機でなくクライアント機に記憶されていてもよいし、ネットワーク上に記憶されていてもよい。また、本実施例では参加装置の機能制限について説明したが、主催装置について機能制限してもよい。また、機能制限の設定の受け付けを主催装置が行ったが、参加装置が機能制限の設定の受け付けを行ってもよい。
【実施例２】
【０１４６】
実施例１では、主催装置が複数の参加装置の機能を一律に制限したが、本実施例では、参加装置毎に個別に機能を制限する画像処理システム１について説明する。
【０１４７】
電子黒板２ｂ、２ｃのユーザが電子黒板２ａのユーザに音声などで制限の緩和を要求してもよいし、電子黒板２ａのユーザが参加装置２ｂ、２ｃを確認して自主的に例えば参加装置２ｂにだけ制限を強化したり緩和してもよい。
【０１４８】
任意の参加装置の制限を制御したい電子黒板２ａのユーザは、ディスプレイ３に機能制限リストの作成画面を表示する。
【０１４９】
図２７は、本実施例の機能制限リストの作成画面の一例を示す図である。図２７では、図１７に対し、「参加者の機能を個別に制限します」というメッセージ２１１と共にＩＰアドレスの選択欄２１３が表示されている。この選択欄２１３には、参加拠点管理テーブルに登録されているＩＰアドレスが全て登録されている。なお、ＩＰアドレスでなく拠点名を表示してもよい。
【０１５０】
電子黒板２ａのユーザは、選択欄２１３から個別に制限を緩和したい又は制限を強化したい参加装置を選択し、図１７と同様に機能制限リストを作成する。ユーザが個別に制限ボタン２１２を押下すると、電子黒板２ａのクライアント機２０は参加装置のＩＰアドレスと共に機能制限リストをサーバ機９０に送信する。サーバ機９０の遠隔接続処理部８１は参加装置のＩＰアドレスに対応づけて機能制限リストを記録する。
【０１５１】
図２８は、本実施例の機能制限管理部の機能制限リストを模式的に説明する図の一例である。本実施例では、１つの遠隔会議ＩＤに対し最大、参加装置の数だけ機能制限リストが記録されうる。図示するように、電子黒板２ｂでは全ての機能が制限されていないが、電子黒板２ｃではページ作成等が制限されている。このように、主催装置のユーザは参加装置毎に個別に機能制限リストを作成できる。
【０１５２】
サーバ機９０の遠隔接続処理部８１は、ＩＰアドレスに対応付けられている機能制限リストを、ＩＰアドレスにより特定される参加装置に送信する。これにより、参加装置２ｂ、２ｃは再度、機能制限処理を行うので、操作制限部３３１は個別に制限された機能をユーザが選択可能なＵＩ画像を作成してディスプレイ３に表示できる。
【０１５３】
本実施例では、このように参加装置の機能の制限を個別に緩和又は強化することができる。
【実施例３】
【０１５４】
実施例１，２では機能制限リストに基づき参加装置の機能を静的に制限したが、本実施例では制限された機能を一時的に緩和することができる画像処理システム１について説明する。
【０１５５】
主催装置のユーザとしては、参加装置の機能を原則的に厳しく制限しておくことが安心だが、議論の内容によっては保存機能、編集機能、又は、表示機能などを制限しなくてよい場合がある。また、会議の終了後に主催装置が電子メールなどでページデータなどを送信することも可能だが、会議の終了後はページデータの選択が面倒であるし、時間を取られてしまう。このため、一部のページデータを会議中に配信しておきたい場合もあると考えられる。
【０１５６】
そこで、本実施例の画像処理システム１は、主催装置のユーザが一時的に制限を緩和することを可能とする。
【０１５７】
図２９は、本実施例の機能制限リストの作成画面の一例を示す図である。参加装置の制限を一時的に緩和したい電子黒板２ａのユーザは、ディスプレイ３に機能制限リストの作成画面を表示する。
【０１５８】
図２９では、「一時的に制限を緩和します」というメッセージ２１６と共に、時間の選択欄２１５が表示されている。この選択欄２１５には、制限を緩和する時間が登録されている。ユーザは選択欄から制限を一時的に緩和したい時間を選択しておく。
【０１５９】
また、電子黒板２ａのユーザは、保存機能、編集機能又は表示機能からチェックボックス２０３のチェックを外して制限を緩和する。これにより、任意の機能の制限を選択的に緩和できる。なお、個別の機能のチェックボックス２０３のチェックを外すのでなく、全ての機能の制限を緩和してもよい。
【０１６０】
また、全ての参加装置の機能を一律に緩和するのでなく、参加装置を指定して一時的に制限を緩和してもよい。
【０１６１】
ユーザが緩和するボタン２１４を押下すると、電子黒板２ａのクライアント機２０は機能制限リストをサーバ機９０に送信する。サーバ機９０の遠隔接続処理部８１は緩和前の機能制限リスト（以下、オリジナルという）に対し、一時的に有効となる機能制限リストを記録する。
【０１６２】
図３０は、本実施例の機能制限管理部の機能制限リストを模式的に説明する図の一例である。本実施例では、オリジナルの遠隔会議ＩＤに対し、一時的に有効な機能制限リストが記録されている。オリジナルの機能制限リストではページ作成等が制限されているが、一時的に有効な機能制限リストでは全ての機能が制限されていない（参加装置がすべての機能を使用できる）。
【０１６３】
サーバ機９０の遠隔接続処理部８１は、各参加装置に一時的に有効な機能制限リストを送信する。これにより、参加装置２ｂ、２ｃは再度、機能制限処理を行うので、操作制限部３３１は機能が制限されていないＵＩ画像を作成してディスプレイ３に表示できる。
【０１６４】
また、サーバ機９０の遠隔接続処理部８１は、所定時間（図の例では１０分）が経過すると、各参加装置にオリジナルの機能制限リストを送信する。これにより、参加装置２ｂ、２ｃは再度、機能制限処理を行い、操作制限部３３１は機能が制限されているＵＩ画像を作成してディスプレイ３に表示できる。
【０１６５】
本実施例では、このように参加装置の操作の制限を一時的に緩和することができる。
【符号の説明】
【０１６６】
１  画像処理システム
２  電子黒板（画像処理装置の一例）
３  ディスプレイ（表示手段の一例）
４  電子ペン
５  ＵＳＢメモリ
６  ノートＰＣ（情報処理端末の一例）
７  テレビ会議端末
８  ＰＣ
９  通信ネットワーク
２０  クライアント機
３０  画像処理部
６０、７０  通信制御部
８０  データ管理部
９０  サーバ機
【先行技術文献】
【特許文献】
【０１６７】
【特許文献１】特許第５０８１０８８号公報
【図１】
0006036621.tif 000002
【図２】
0006036621.tif 000003
【図３】
0006036621.tif 000004
【図４】
0006036621.tif 000005
【図５】
0006036621.tif 000006
【図６】
0006036621.tif 000007
【図７】
0006036621.tif 000008
【図８】
0006036621.tif 000009
【図９】
0006036621.tif 000010
【図１０】
0006036621.tif 000011
【図１１】
0006036621.tif 000012
【図１２】
0006036621.tif 000013
【図１３】
0006036621.tif 000014
【図１４】
0006036621.tif 000015
【図１５】
0006036621.tif 000016
【図１６】
0006036621.tif 000017
【図１７】
0006036621.tif 000018
【図１８】
0006036621.tif 000019
【図１９】
0006036621.tif 000020
【図２０】
0006036621.tif 000021
【図２１】
0006036621.tif 000022
【図２２】
0006036621.tif 000023
【図２３】
0006036621.tif 000024
【図２４】
0006036621.tif 000025
【図２５】
0006036621.tif 000026
【図２６】
0006036621.tif 000027
【図２７】
0006036621.tif 000028
【図２８】
0006036621.tif 000029
【図２９】
0006036621.tif 000030
【図３０】
0006036621.tif 000031